(57)【要約】【課題】  顧客へのアピール効果を維持しながら、照明灯の点灯による消費電力を削減することができるショーケースを提供する。【解決手段】  顧客の接近を検知するための人感センサ３２と、蛍光灯２３Ａ、２３Ｂ、２３Ｃ、２３Ｄ、２３Ｅの点灯を制御する制御装置３１とを備え、この制御装置３１は、人感センサ３２が顧客の接近を検知していない場合、蛍光灯２３Ａ、２３Ｂ、２３Ｃ、２３Ｄ、２３Ｅによる陳列室６内の照度を下げていると共に、人感センサ３２が顧客の接近を検知した場合、蛍光灯２３Ａ、２３Ｂ、２３Ｃ、２３Ｄ、２３Ｅによる陳列室６内の照度を上げる。【選択図】図１
2006266645.tif 000002
【特許請求の範囲】
【請求項１】
商品を陳列する陳列室内を、照明灯にて照明してなるショーケースにおいて、
顧客の接近を検知するための人感センサと、
前記照明灯の点灯を制御する制御装置とを備え、
該制御装置は、前記人感センサが顧客の接近を検知していない場合、前記照明灯による前記陳列室内の照度を下げていると共に、前記人感センサが顧客の接近を検知した場合、前記照明灯による前記陳列室内の照度を上げることを特徴とするショーケース。
【請求項２】
商品を陳列する陳列室内を、照明灯にて照明してなるショーケースにおいて、
タイマ機能を備えて前記照明灯の点灯を制御する制御装置とを備え、
該制御装置は、所定の繁忙時間帯以外の時間帯では、前記照明灯による前記陳列室内の照度を下げていると共に、繁忙時間帯においては前記照明灯による前記陳列室内の照度を上げることを特徴とするショーケース。
【請求項３】
商品を陳列する陳列室内を、照明灯にて照明してなるショーケースにおいて、
前記陳列室外の照度を検知するための照度センサと、
前記照明灯の点灯を制御する制御装置とを備え、
該制御装置は、前記照度センサが検知する前記陳列室外の照度が高い場合、前記照明灯による前記陳列室内の照度を下げていると共に、前記照度センサが検知する前記陳列室外の照度が低い場合、前記照明灯による前記陳列室内の照度を上げることを特徴とするショーケース。
【請求項４】
前記制御装置は、前記照明灯を調光することにより、前記陳列室内の照度を変更することを特徴とする請求項１、請求項２又は請求項３のショーケース。
【請求項５】
前記制御装置は、点灯する前記照明灯の数を変更することにより、前記陳列室内の照度を変更することを特徴とする請求項１、請求項２又は請求項３のショーケース。
【請求項６】
前記制御装置は、前記陳列室内の照度を上げる場合に、所定周期で前記照明灯の点灯状態を変更することを特徴とする請求項１、請求項２、請求項３、請求項４又は請求項５のショーケース。
【発明の詳細な説明】
【技術分野】
【０００１】
本発明は、商品を陳列する陳列室内を照明灯にて照明してなるショーケースに関するものである。
【背景技術】
【０００２】
従来よりこの種ショーケース、例えば、スーパーマーケット等の店舗に設置されるオープンショーケースは、断面略コ字状の断熱壁にて本体が構成されており、この断熱壁の内側に間隔を存して取り付けられた仕切板の内側に、前面に開口した陳列室を構成している。そして、断熱壁と仕切部材間にはダクトが画成され、当該ダクト内に設置された冷却器と熱交換した冷気を送風機にて陳列室内に供給することにより、当該陳列室内を所定の冷蔵、若しくは、冷凍温度に冷却している。
【０００３】
また、陳列室内には照明用の蛍光灯（照明灯）が複数本取り付けられ、陳列された商品を常時明るく照らして、陳列室内の商品が顧客の目に留まり易いようにし、商品販売効果が向上するよう工夫されていた（例えば、特許文献１参照）。
【特許文献１】特開平１０−２５３２３４号公報
【発明の開示】
【発明が解決しようとする課題】
【０００４】
このように、陳列室内の商品を複数本の蛍光灯にて常時明るく照らすことで、陳列室内の商品のアピール効果を向上することができるが、蛍光灯の消費電力が増大する問題が生じていた。特に、低温ショーケースでは蛍光灯を点灯させることで、当該蛍光灯の発熱により陳列室内の温度が上昇するので、その分、陳列室内の熱負荷が増大して、消費電力をより一層増大させる問題がある。
【０００５】
本発明は、係る従来の技術的課題を解決するために成されたものであり、陳列室内の商品販売効果を維持又は向上させながら、照明灯の消費電力の削減と陳列室内熱負荷の低減を図ったショーケースを提供することを目的とする。
【課題を解決するための手段】
【０００６】
即ち、請求項１の発明のショーケースは、商品を陳列する陳列室内を、照明灯にて照明してなるものであって、顧客の接近を検知するための人感センサと、照明灯の点灯を制御する制御装置とを備え、この制御装置は、人感センサが顧客の接近を検知していない場合、照明灯による陳列室内の照度を下げていると共に、人感センサが顧客の接近を検知した場合、照明灯による陳列室内の照度を上げるものである。
【０００７】
請求項２の発明のショーケースは、商品を陳列する陳列室内を、照明灯にて照明してなるものであって、タイマ機能を備えて照明灯の点灯を制御する制御装置とを備え、この制御装置は、所定の繁忙時間帯以外の時間帯では、照明灯による陳列室内の照度を下げていると共に、繁忙時間帯においては照明灯による陳列室内の照度を上げるものである。
【０００８】
請求項３の発明のショーケースは、商品を陳列する陳列室内を、照明灯にて照明してなるものであって、陳列室外の照度を検知するための照度センサと、照明灯の点灯を制御する制御装置とを備え、この制御装置は、照度センサが検知する陳列室外の照度が高い場合、照明灯による陳列室内の照度を下げていると共に、照度センサが検知する陳列室外の照度が低い場合、照明灯による陳列室内の照度を上げるものである。
【０００９】
請求項４の発明のショーケースは、上記各発明において制御装置は、照明灯を調光することにより、陳列室内の照度を変更するものである。
【００１０】
また、請求項５の発明のショーケースは、請求項１、請求項２又は請求項３の発明において制御装置は、点灯する照明灯の数を変更することにより、陳列室内の照度を変更するものである。
【００１１】
請求項６の発明のショーケースは、上記各発明において制御装置は、陳列室内の照度を上げる場合に、所定周期で照明灯の点灯状態を変更するものである。
【発明の効果】
【００１２】
請求項１の発明のショーケースによれば、商品を陳列する陳列室内を、照明灯にて照明してなるものであって、顧客の接近を検知するための人感センサと、照明灯の点灯を制御する制御装置とを備え、この制御装置は、人感センサが顧客の接近を検知していない場合、照明灯による陳列室内の照度を下げているので、照明灯の消費電力を低減することができる。また、照明灯の照度を下げることで、照明灯の発熱も抑えることが可能となり、陳列室内の負荷を軽減できるようになる。
【００１３】
そして、制御装置は、人感センサが顧客の接近を検知した場合、照明灯による陳列室内の照度を上げるので、陳列室内の商品を顧客の目に留まりやすくアピールすることが可能となる。
【００１４】
このように、請求項１の発明によれば、顧客が近くにいないときは陳列室内の照度を下げておき、顧客が近くに来たときにのみ陳列室内の照度を上げられるので、陳列室内の商品販売効果を維持しながら、照明灯の消費電力の削減と陳列室内負荷の軽減による省エネ化を実現することができるようになる。
【００１５】
また、請求項２の発明のショーケースによれば、商品を陳列する陳列室内を、照明灯にて照明してなるものであって、タイマ機能を備えて照明灯の点灯を制御する制御装置とを備え、この制御装置は、所定の繁忙時間帯以外の時間帯では、照明灯による陳列室内の照度を下げているので、照明灯の消費電力を低減することができる。また、照明灯の照度を下げることで、照明灯の発熱も抑えることが可能となり、陳列室内の熱負荷を軽減できるようになる。
【００１６】
一方、制御装置は繁忙時間帯においては照明灯による陳列室内の照度を上げるので、陳列室内の商品を顧客の目に留まりやすくアピールすることが可能となる。
【００１７】
このように、請求項２の発明によれば、顧客が少ない時間帯では陳列室内の照度を下げておき、顧客が多い繁忙時間帯のみ陳列室内の照度を上げられるので、陳列室内の商品販売効果を維持しながら、照明灯の消費電力の削減と陳列室内負荷の軽減による省エネ化を実現することができるようになる。
【００１８】
また、請求項３の発明のショーケースによれば、商品を陳列する陳列室内を、照明灯にて照明してなるものであって、陳列室外の照度を検知するための照度センサと、照明灯の点灯を制御する制御装置とを備え、この制御装置は、照度センサが検知する陳列室外の照度が高い場合、照明灯による陳列室内の照度を下げているので、照明灯の消費電力を低減することができる。また、照明灯の照度を下げることで、照明灯の発熱も抑えることが可能となり、陳列室内の負荷を軽減できるようになる。
【００１９】
一方、制御装置は照度センサが検知する陳列室外の照度が低い場合、照明灯による陳列室内の照度を上げるので、陳列室内の商品を顧客の目に留まりやすくアピールすることが可能となる。
【００２０】
このように、請求項３の発明によれば、ショーケースが特に外光が入る店舗の窓際に設置される場合等に、昼間ショーケース周囲が明るいときには陳列室内の照度を下げておき、夜ショーケース周囲が暗くなったら陳列室内の照度を上げることにより、照明灯の消費電力の削減と陳列室内負荷の軽減による省エネ化を実現しながら、陳列室内の商品のアピール効果を維持することができるようになる。
【００２１】
また、請求項４の如く制御装置が照明灯を調光することにより、陳列室内の照度を変更するようにすれば、調光によって照明灯の照度を細かく調整することが可能となる。これにより、商品のアピール効果及び省エネ効果の向上をより一層的確に行うことができるようになる。
【００２２】
また、請求項５の如く制御装置が点灯する照明灯の数を変更することにより、陳列室内の照度を変更するようにすれば、低コストで省エネ化と商品のアピール効果の維持を達成することができるようになる。
【００２３】
また、請求項６の発明の如く制御装置が陳列室内の照度を上げる場合に、所定周期で照明灯の点灯状態を変更するようにすれば、陳列室内の商品のアピール効果をより一層向上させることができるようになる。
【発明を実施するための最良の形態】
【００２４】
本発明は、照明灯の消費電力の削減と陳列室内負荷の低減を図りながら、陳列室内の商品のアピール効果を向上すると云う目的を照明灯による陳列室内の照度を的確に変更することにより実現した。
【実施例１】
【００２５】
以下、図面に基づき本発明の実施形態を詳述する。図１は本発明の一実施例のショーケース１の概略縦断側面図、図２は図１のショーケース１の電気回路のブロック図である。図１において、ショーケース１は断面略コ字状の断熱壁３にて本体が構成されており、この断熱壁３の内側に間隔を存して取り付けられた仕切板２の内側に、前面に開口した陳列室６を構成すると共に、断熱壁３と仕切板２間にはダクト７を画成している。この仕切板２は貯蔵室６の天面に位置する天部仕切板２Ａと、陳列室６の背面に位置する背部仕切板２Ｂと、陳列室６の底面に位置するデッキパン２Ｃとから構成されている。
【００２６】
そして、背部仕切板２Ｂ外側のダクト７内下部には冷却装置を構成する冷却器１１が縦設されると共に、デッキパン２Ｃ下側のダクト７内には送風機１２が配設されている。また、天部仕切板２Ａの上側のダクト７内は区画板１３にて上下に区画されており、区画された各風路のその前端には、陳列室６の開口上縁に位置してダクト７に連通した吐出口１６、１７が前後に並設されている。また、デッキパン２Ｃの前端には、陳列室６の開口下縁に位置してこれもダクト７に連通した吸込口１８が形成されている。
【００２７】
また、陳列室６内には複数段の棚２１・・が架設されると共に、これら棚２１の下面及び天部仕切板２Ａ下面、開口上方のキャノピー２２内には照明灯としての蛍光灯２３Ｃ、２３Ｄ、２３Ｅ、２３Ａ、２３Ｂがそれぞれ取り付けられている。更に、ショーケース１には前記冷却器１１への冷媒供給を制御する液電磁弁３４（図２）が設けられている。
【００２８】
また、前記陳列室６の開口下側の断熱壁３前面には、人感センサ３２が取り付けられ、後述する制御装置３１に接続されている。この人感センサ３２は所定距離の範囲内に接近した人（顧客）を検知するセンサであり、赤外線式或いは静電容量式などがある。
【００２９】
次に、図２において、３１は汎用のマイクロコンピュータから成る前述した制御装置であり、この制御装置３１には顧客の接近を検知する前記人感センサ３２の出力や陳列室６への吐出冷気温度を検出する温度センサ３３の出力が入力されている。また、制御装置３１の出力には、前記送風機１２と各蛍光灯２３Ａ、２３Ｂ、２３Ｃ、２３Ｄ、２３Ｅ及び前記液電磁弁３４が接続されている。
【００３０】
以上の構成で、次に本発明のショーケース１の動作を説明する。ショーケース１の電源スイッチが投入されると制御装置３１は送風機１２を始動し、当該送風機１２は前方の吸込口１８から空気を吸引して、後方に吹き出す。
【００３１】
送風機１２から吹き出された空気は冷却器１１に下側から吹き付けられ、冷却器１１と熱交換して冷却された後、ダクト７内を上方に吹き上げられる。吹き上げられた冷気は分流した後、各吐出口１６、１７から陳列室６の開口に向けて吐出される。
【００３２】
吐出された冷気は、吸込口１８からダクト７内に吸引され、これによって、陳列室６の開口には冷気のエアカーテンが形成されると共に、一部は陳列室６内に循環されて陳列室６内を所定の温度に冷却する。制御装置３１は温度センサ３３の出力に基づいて液電磁弁３４を制御し、冷却器１１による冷却効果を調整する。これにより、陳列室６内は所定の温度に冷却される。
【００３３】
また、実施例の制御装置３１は、前記人感センサ３２が顧客の接近を検知していない場合には、天部仕切板２Ａ及び棚２１の蛍光灯２３Ｂ、２３Ｃ、２３Ｄ、２３Ｅによる陳列室６内の照度を下げると共に、人感センサ３２にて顧客の接近を検知した場合には、蛍光灯２３Ｂ、２３Ｃ、２３Ｄ、２３Ｅによる陳列室６内の照度を上げる制御を実行する。即ち、制御装置３１は人感センサ３２の出力に基づき、天部仕切板２Ａ及び棚２１の蛍光灯２３Ｂ、２３Ｃ、２３Ｄ、２３Ｅの照度を制御している。尚、キャノピー２２の蛍光灯２３Ａについては、制御装置３１は常時１００％の照度（後述する明るいモードの照度）で点灯している。
【００３４】
ここで、制御装置３１による上記蛍光灯照度の制御方法について詳述する。
【００３５】
（１）蛍光灯を調光する制御
先ず、人感センサ３２の出力に基づき、制御装置３１が蛍光灯を調光することにより陳列室６内の照度を変更する制御について説明する。この場合、例えば、蛍光灯２３Ｂ、２３Ｃ、２３Ｄ及び２３Ｅは、制御装置により、明るいモードと、普通モード（例えば、明るいモードを１００％の照度とした場合、通常モードは５０％の照度）の２段階に照度が調節可能に設けられている。そして、制御装置３１は人感センサ３２が顧客の接近を検知していない場合には、天部仕切板２Ａ及び棚２１の蛍光灯２３Ｂ、２３Ｃ、２３Ｄ及び２３Ｅを普通モードに制御する。
【００３６】
これにより、蛍光灯２３Ｂ、２３Ｃ、２３Ｄ及び２３Ｅにより照度が５０％となるので、消費電力を低減することができる。また、蛍光灯２３Ｂ、２３Ｃ、２３Ｄ及び２３Ｅの照度を５０％とすることで、照度を１００％とした場合より、蛍光灯２３Ｂ、２３Ｃ、２３Ｄ及び２３Ｅ発熱も抑制でき、陳列室６内の熱負荷を軽減できるようになる。
【００３７】
一方、人感センサ３２がショーケース１への顧客の接近を検知すると、制御装置３１は蛍光灯２３Ｂ、２３Ｃ、２３Ｄ及び２３Ｅを明るいモードに制御する。このため、顧客が近くに来たときには、陳列室６内は明るくなり、商品が顧客の目に留まりやすい状態とすることができるようになる。
【００３８】
尚、蛍光灯２３Ｂ、２３Ｃ、２３Ｄ及び２３Ｅは明るいモード、普通モードの２段階に調節可能なものに限らず、図３に示すように、制御装置３１と蛍光灯２３Ｂ、２３Ｃ、２３Ｄ、２３ＥとをインバータＩＮＶを介して接続し、制御装置３１は各インバータＩＮＶで周波数制御することにより、蛍光灯２３Ｂ、２３Ｃ、２３Ｄ、２３Ｅの照度を例えば５０％から１００％の間の所定の照度にリニアな制御をするものとしても構わない。
【００３９】
このように、調光によって蛍光灯２３Ｂ、２３Ｃ、２３Ｄ、２３Ｅの照度を細かく調整することで、商品のアピール効果及び省エネルギー効果を的確に向上させることができるようになる。
【００４０】
（２）点灯する蛍光灯の数を変更する制御
次に、人感センサ３２の出力に基づき、制御装置３１が点灯する蛍光灯の数を変更することにより、照度を制御する場合について説明する。この場合、例えば、天部仕切板２Ａ及び棚２１の蛍光灯２３Ｂ、２３Ｃ、２３Ｄ及び２３Ｅは、制御装置３１により、ＯＮ／ＯＦＦ（点灯／消灯）制御可能に設けられている。そして、制御装置３１は、人感センサ３２が顧客の接近を検知していない場合には、蛍光灯２３Ｂ、２３Ｃ、２３Ｄ及び２３ＥをＯＦＦする。これにより、天部仕切板２Ａ及び棚２１の蛍光灯２３Ｂ、２３Ｃ、２３Ｄ及び２３Ｅが消灯し、キャノピー２２の蛍光灯２３Ａのみが点灯した状態となるので、消費電力を低減することができる。
【００４１】
また、蛍光灯２３Ｂ、２３Ｃ、２３Ｄ及び２３Ｅを消灯することで、蛍光灯２３Ｂ、２３Ｃ、２３Ｄ及び２３Ｅは発熱しなくなるので、陳列室６内の熱負荷を著しく軽減できるようになる。
【００４２】
一方、人感センサ３２が顧客の接近を検知した場合には、制御装置３１は、蛍光灯２３Ｂ、２３Ｃ、２３Ｄ及び２３ＥをＯＮ（点灯）する。これにより、全蛍光灯２３Ａ、２３Ｂ、２３Ｃ、２３Ｄ及び２３Ｅが点灯する。このため、顧客が近くに来たときには、陳列室６内は明るくなり、商品が顧客の目に留まりやすい状態とすることができるようになる。
【００４３】
尚、人感センサ３２が顧客の接近を検知した場合、各蛍光灯２３Ｂ、２３Ｃ、２３Ｄ、２３Ｅを同時にＯＮして、点灯させても良いし、天部仕切板２Ａに取り付けられた蛍光灯２３Ｂから最も下段の棚２１に取り付けられた蛍光灯２３Ｅに、或いは、その逆の順で順次点灯するような制御を行っても良い。
【００４４】
以上のように、点灯する蛍光灯２３Ａ、２３Ｂ、２３Ｃ、２３Ｄ、２３Ｅの数を変更することで、陳列室６内の照度を変更することで、調光により陳列室６内の照度を変更する場合より、低コストで省エネ化と、商品のアピール効果の向上を達成することができるようになる。
【００４５】
また、この場合においても、制御装置３１と蛍光灯２３Ｂ、２３Ｃ、２３Ｄ、２３Ｅとをインバータを介して接続して、人感センサ３２が顧客の接近を検知した場合には、制御装置３１によりインバータで周波数を緩やかに上昇させ、蛍光灯２３Ｂ、２３Ｃ、２３Ｄ、２３Ｅの照度を徐々に上げるものとしてもよい。同様に人感センサ３２が顧客の接近を検知しなくなった場合には、制御装置３１によりインバータで周波数を緩やかに低下させ、蛍光灯２３Ｂ、２３Ｃ、２３Ｄ、２３Ｅの照度を徐々に下げて、最終的に消灯するものとしても構わない。
【００４６】
以上詳述する如く、人感センサ３２により、顧客が近くにいないときは陳列室６内の照度を下げておき、顧客が近くに来たときにのみ陳列室６内の照度を上げられるので、蛍光灯２３Ｂ、２３Ｃ、２３Ｄ、２３Ｅの消費電力の削減と陳列室６内負荷の軽減による省エネ化を実現しながら、陳列室６内の商品のアピール効果の向上を図ることができるようになる。
【００４７】
尚、人感センサ３２の出力に基づき、人感センサ３２が顧客の接近を検知している場合にも、所定周期で蛍光灯の点灯形態を変更すれば、消費電力を削減し、陳列室６内の商品のアピール効果をより一層向上させることができるようになる。
【００４８】
即ち、例えば、制御装置３１は、蛍光灯２３Ｂの照度を５０％に下げて、他の蛍光灯２３Ａ、２３Ｃ、２３Ｄ、２３Ｅの照度を１００％に制御する。そして、例えば１秒経過すると、制御装置３１は蛍光灯２３Ｂの照度を１００％にすると共に、今まで１００％の照度で点灯していた蛍光灯２３Ｃの照度を５０％に制御する。更に、１秒経過すると、制御装置３１は、蛍光灯２３Ｃの照度を１００％にすると共に、今まで１００％の照度で点灯していた蛍光灯２３Ｃの照度を５０％に制御する。尚、制御装置３１は、陳列室６内の蛍光灯を上側、或いは、下側から順次、照度を５０％に制御するものとしても良いし、ランダムに制御するものとしても構わない。また、この場合の蛍光灯２３Ｂ、２３Ｃ、２３Ｄ、２３Ｅの照度制御も、インバータにより周波数制御して、徐々に周波数を上昇させたり、徐々に周波数を低下させるものとしても構わない。
【００４９】
このように、顧客が近くにいる場合であっても、所定の周期で蛍光灯の点灯状態を変更することで、消費電力を削減し、且つ、陳列室６内の商品のアピール効果も一層向上させることができるようになる。
【実施例２】
【００５０】
次に、図４を用いて本発明の他の実施形態を説明する。以下、上記実施例（実施例）と異なる部分について説明する。図４は本実施例におけるショーケース１の電気回路のブロック図である。尚、図４において、図１〜図３と同一の符号が付されているものは、同様、若しくは、類似の効果を奏するものである。
【００５１】
この場合、制御装置３１は、タイマ機能３５を備え、当該タイマ機能３５にて、各蛍光灯２３Ａ、２３Ｂ、２３Ｃ、２３Ｄ、２３Ｅの点灯を制御している。
【００５２】
即ち、制御装置３１は、タイマ機能３５により、所定の繁忙時間帯以外の時間帯では、天部仕切板２Ａと棚２１の蛍光灯２３Ｂ、２３Ｃ、２３Ｄ、２３Ｅによる陳列室６内の照度を下げると共に、繁忙時間帯においては天部仕切板２Ａと棚２１の蛍光灯２３Ｂ、２３Ｃ、２３Ｄ、２３Ｅによる陳列室６内の照度を上げる制御を実行する。尚、蛍光灯２３Ａについては同様に常時１００％の照度とする。
【００５３】
ここで、制御装置３１による照度の制御方法について詳述する。尚、タイマ機能には、予め繁忙時間帯を設定しており、例えば、繁忙時間帯を午前１１時〜午後３時の間と、午後５時〜午後７時に設定するものとする。
【００５４】
（１）蛍光灯を調光する制御
先ず、タイマ機能３５に基づき、制御装置３１が蛍光灯を調光することにより陳列室６内の照度を変更する制御について説明する。この場合、例えば、天部仕切板２Ａと棚２１の蛍光灯２３Ｂ、２３Ｃ、２３Ｄ及び２３Ｅは、制御装置により、明るいモードと、普通モード（例えば、明るいモードを１００％の照度とした場合、通常モードは５０％の照度）の２段階に照度が調節可能に設けられている。そして、制御装置３１はタイマ機能３５により、繁忙時間帯以外の時間帯では、蛍光灯２３Ｂ、２３Ｃ、２３Ｄ及び２３Ｅを普通モードに制御する。
【００５５】
これにより、蛍光灯２３Ｂ、２３Ｃ、２３Ｄ及び２３Ｅにより照度が５０％となるので、消費電力を低減することができる。また、蛍光灯２３Ｂ、２３Ｃ、２３Ｄ及び２３Ｅの照度を５０％とすることで、照度を１００％とした場合より、蛍光灯２３Ｂ、２３Ｃ、２３Ｄ及び２３Ｅ発熱も抑制でき、陳列室６内の負荷を軽減できるようになる。
【００５６】
一方、予め設定された繁忙時間帯（午前１１時〜午後３時、或いは、午後５時〜午後７時）になると、制御装置３１は蛍光灯２３Ｂ、２３Ｃ、２３Ｄ及び２３Ｅを明るいモード（照度１００％）に制御する。このため、陳列室６内は明るくなり、商品が顧客の目に留まりやすい状態とすることができるようになる。
【００５７】
尚、蛍光灯２３Ｂ、２３Ｃ、２３Ｄ及び２３Ｅは明るいモード、普通モードの２段階に調節可能なものに限らず、制御装置３１と蛍光灯２３Ｂ、２３Ｃ、２３Ｄ、２３Ｅとをインバータを介して接続し、制御装置３１は各インバータで周波数制御することにより蛍光灯２３Ｂ、２３Ｃ、２３Ｄ、２３Ｅの照度を例えば５０％から１００％にリニアに制御するものとしても構わない。
【００５８】
このように、調光によって蛍光灯２３Ｂ、２３Ｃ、２３Ｄ、２３Ｅの照度を細かく調整することで、商品のアピール効果及び省エネルギー効果を更に向上させることができるようになる。
【００５９】
（２）点灯する蛍光灯の数を変更する制御
次に、タイマ機能３５に基づき、制御装置３１が点灯する蛍光灯の数を変更することにより、照度を制御する場合について説明する。この場合、蛍光灯２３Ｂ、２３Ｃ、２３Ｄ及び２３Ｅは、制御装置３１により、ＯＮ／ＯＦＦ（点灯／消灯）制御可能に設けられている。そして、制御装置３１は、タイマ機能３５により、繁忙時間帯以外の時間帯では、蛍光灯２３Ｂ、２３Ｃ、２３Ｄ及び２３Ｅのうち何れかをＯＦＦする。例えば、蛍光灯２３Ｂ、２３ＤをＯＦＦする。これにより、蛍光灯２３Ａ、２３Ｃ、２３Ｅのみが点灯した状態となり、その分、消費電力を低減することができる。
【００６０】
また、蛍光灯２３Ｂ、２３Ｄを消灯することで、蛍光灯２３Ｂ、２３Ｄは発熱しなくなるので、陳列室６内の負荷を軽減できるようになる。
【００６１】
一方、設定された繁忙時間帯（午前１１時〜午後３時、或いは、午後５時〜午後７時）になると、制御装置３１は、蛍光灯２３Ｂ、２３ＤをＯＮする。これにより、全蛍光灯２３Ａ、２３Ｂ、２３Ｃ、２３Ｄ及び２３Ｅが点灯する。このため、陳列室６内は明るくなり、商品が顧客の目に留まりやすい状態とすることができるようになる。
【００６２】
尚、設定された繁忙時間帯になると、各蛍光灯２３Ｂ、２３Ｄを同時にＯＮして、点灯させても良いし、蛍光灯２３ＢをＯＮしてから、所定時間経過後に蛍光灯２３ＤをＯＮするなどしても良い。
【００６３】
以上のように、点灯する蛍光灯２３Ａ、２３Ｂ、２３Ｃ、２３Ｄ、２３Ｅの数を変更することで、陳列室６内の照度を変更することで、調光により陳列室６内の照度を変更する場合より、低コストで省エネ化と、商品のアピール効果の向上を達成することができるようになる。
【００６４】
また、この場合においても、制御装置３１と蛍光灯２３Ｂ、２３Ｃ、２３Ｄ、２３Ｅとをインバータを介して接続して、タイマ機能３５が繁忙時間帯になると、制御装置３１によりインバータで周波数を緩やかに上昇させ、蛍光灯２３Ｂ、２３Ｄの照度を徐々に上げるものとしても構わない。同様に、繁忙時間帯以外の時間帯になると、制御装置３１によりインバータで周波数を緩やかに低下させ、蛍光灯２３Ｂ、２３Ｄの照度を徐々に下げて、最終的に消灯するものとしても構わない。
【００６５】
以上詳述する如く、タイマ機能３５により、顧客が少ない時間帯では陳列室６内の照度を下げておき、顧客が多い繁忙時間帯のみ陳列室６内の照度を上げられるので、蛍光灯２３Ａ、２３Ｂ、２３Ｃ、２３Ｄ、２３Ｅの消費電力の削減と陳列室６内負荷の軽減による省エネ化を実現しながら、陳列室６内の商品のアピール効果の向上を図ることができるようになる。
【００６６】
尚、繁忙時間帯にも、所定周期で蛍光灯の点灯形態を変更するものとすれば、消費電力を削減し、陳列室６内の商品のアピール効果をより一層向上させることができるようになる。
【００６７】
即ち、例えば、制御装置３１は、蛍光灯２３Ｂの照度を５０％に下げて、他の蛍光灯２３Ａ、２３Ｃ、２３Ｄ、２３Ｅの照度を１００％に制御する。そして、１０分経過すると、制御装置３１は蛍光灯２３Ｂの照度を１００％にすると共に、今まで１００％の照度で点灯していた蛍光灯２３Ｃの照度を５０％に制御する。更に、１０分経過すると、制御装置３１は、蛍光灯２３Ｃの照度を１００％にすると共に、今まで１００％の照度で点灯していた蛍光灯２３Ｄの照度を５０％に制御する。尚、制御装置３１は、陳列室６内の蛍光灯を上側、或いは、下側から順次、照度を５０％に制御するものとしても良いし、ランダムに制御するものとしても構わない。また、この場合の蛍光灯２３Ｂ、２３Ｃ、２３Ｄ、２３Ｅの照度制御も、インバータにより周波数制御して、徐々に周波数を上昇させたり、徐々に周波数を低下させるものとしても構わない。
【００６８】
このように、繁忙時間帯であっても、所定の周期で蛍光灯の点灯状態を変更することで、消費電力を削減し、且つ、陳列室６内の商品のアピール効果も一層向上させることができるようになる。
【実施例３】
【００６９】
次に、本発明のもう一つの他の実施の形態を説明する。以下、上記実施例（実施例）と異なる部分について説明する。図５は本実施例におけるショーケース１００の概略縦断側面図、図６はショーケース１００の電気回路のブロック図である。尚、図５及び図６において、図１乃至図４と同一の符号が付されているものは、同様、若しくは、類似の効果を奏するものである。
【００７０】
この場合のショーケース１００は、外光が入る例えば店舗の窓際などに設置されるもので、図５に示すように、陳列室６の開口上側の断熱壁３の前面には、照度センサ３７が取り付けられている。この照度センサ３７は陳列室６外の照度を検知するためのセンサで、後述する制御装置３１に接続されている（図６）。
【００７１】
そして、制御装置３１は、当該照度センサ３７が検知する陳列室６外の照度に基づいて、天部仕切板２Ａ及び棚２１の蛍光灯２３Ｂ、２３Ｃ、２３Ｄ、２３Ｅによる陳列室６内の照度を制御している。即ち、制御装置３１は、照度センサ３７が検知する陳列室６外の照度が高い場合、蛍光灯２３Ｂ、２３Ｃ、２３Ｄ、２３Ｅによる陳列室６内の照度を下げると共に、照度センサ３７が検知する陳列室６外の照度が低い場合には、蛍光灯２３Ｂ、２３Ｃ、２３Ｄ、２３Ｅによる陳列室６内の照度を上げる制御を実行する。尚、同様にキャノピー２２の蛍光灯２３Ａについては常時１００％の照度とする。
【００７２】
ここで、制御装置３１による照度の制御方法について詳述する。
【００７３】
（１）蛍光灯を調光する制御
先ず、照度センサ３７の出力に基づき、制御装置３１が蛍光灯を調光することにより陳列室６内の照度を変更する制御について説明する。この場合、例えば、天部仕切板２Ａ及び棚２１の蛍光灯２３Ｂ、２３Ｃ、２３Ｄ及び２３Ｅは、制御装置により、明るいモードと、普通モード（例えば、明るいモードを１００％の照度とした場合、通常モードは５０％の照度）の２段階に照度が調節可能に設けられている。そして、制御装置３１は照度センサ３７が検知する陳列室６外の照度が高い場合、蛍光灯２３Ｂ、２３Ｃ、２３Ｄ及び２３Ｅを普通モードに制御する。ここで、陳列室６外の照度が高い場合には、ショーケース１００の周囲は充分に明るいため、蛍光灯２３Ｂ、２３Ｃ、２３Ｄ及び２３Ｅを普通モードにしても、商品が顧客の目に留まりやすい状態を維持することができる。
【００７４】
これにより、商品のアピール効果を維持しながら、消費電力を低減することができる。また、蛍光灯２３Ｂ、２３Ｃ、２３Ｄ及び２３Ｅの照度を５０％とすることで、照度を１００％とした場合より、蛍光灯２３Ｂ、２３Ｃ、２３Ｄ及び２３Ｅ発熱も抑制でき、陳列室６内の負荷を軽減できるようになる。
【００７５】
一方、照度センサ３７が検知する陳列室６外の照度が低い場合には、制御装置３１は蛍光灯２３Ｂ、２３Ｃ、２３Ｄ及び２３Ｅを明るいモード（照度１００％）に制御する。このため、陳列室６内は明るくなり、商品が顧客の目に留まりやすい状態とすることができるようになる。
【００７６】
尚、蛍光灯２３Ｂ、２３Ｃ、２３Ｄ及び２３Ｅは明るいモード、普通モードの２段階に調節可能なものに限らず、制御装置３１と蛍光灯２３Ｂ、２３Ｃ、２３Ｄ、２３Ｅとをインバータを介して接続し、制御装置３１は各インバータで周波数制御することにより蛍光灯２３Ｂ、２３Ｃ、２３Ｄ、２３Ｅの照度を５０％から１００％にリニアに制御するものとしても構わない。
【００７７】
このように、調光によって蛍光灯２３Ｂ、２３Ｃ、２３Ｄ、２３Ｅの照度を細かく調整することで、商品のアピール効果を常に高い状態に維持しながら、省エネ効果を更に向上させることができるようになる。
【００７８】
（２）点灯する蛍光灯の数を変更する制御
次に、照度センサ３７の出力に基づき、制御装置３１が点灯する蛍光灯の数を変更することにより、照度を制御する場合について説明する。この場合、天部仕切板２Ａ及び棚２１の蛍光灯２３Ｂ、２３Ｃ、２３Ｄ及び２３Ｅは、制御装置３１により、ＯＮ／ＯＦＦ（点灯／消灯）制御可能に設けられている。そして、制御装置３１は、照度センサ３７が検知する陳列室６外の照度が高い場合、蛍光灯２３Ｂ、２３Ｃ、２３Ｄ及び２３Ｅのうち何れかをＯＦＦする。例えば、蛍光灯２３Ｂ、２３ＤをＯＦＦする。これにより、蛍光灯２３Ａ、２３Ｃ、２３Ｅのみが点灯した状態となる。ここで、陳列室６外の照度が高い場合には、ショーケース１００の周囲は充分に明るいため、蛍光灯２３Ｂ、２３ＤをＯＦＦしても、商品が顧客の目に留まりやすい状態を維持することができる。
【００７９】
これにより、商品のアピール効果を維持しながら、消費電力を低減することができる。また、蛍光灯２３Ｂ、２３Ｄを消灯することで、蛍光灯２３Ｂ、２３Ｄは発熱しなくなるので、陳列室６内の負荷を軽減できるようになる。
【００８０】
一方、照度センサ３７が検知する陳列室６外の照度が低い場合には、制御装置３１は、蛍光灯２３Ｂ、２３ＤをＯＮする。これにより、全蛍光灯２３Ａ、２３Ｂ、２３Ｃ、２３Ｄ及び２３Ｅが点灯する。このため、陳列室６内は明るくなり、商品が顧客の目に留まりやすい状態とすることができるようになる。
【００８１】
尚、照度センサ３７が検知する陳列室６外の照度が低くなった場合に、各蛍光灯２３Ｂ、２３Ｄを同時にＯＮして、点灯させても良いし、蛍光灯２３ＢをＯＮしてから、所定時間経過後に蛍光灯２３ＤをＯＮするものとしても良い。
【００８２】
以上のように、点灯する蛍光灯２３Ａ、２３Ｂ、２３Ｃ、２３Ｄ、２３Ｅの数を変更することで、陳列室６内の照度を変更することで、調光により陳列室６内の照度を変更する場合より、低コストで省エネ化と、商品のアピール効果の向上を達成することができるようになる。
【００８３】
また、この場合においても、制御装置３１と蛍光灯２３Ｂ、２３Ｃ、２３Ｄ、２３Ｅとをインバータを介して接続して、照度センサ３７が検知する陳列室６外の照度が低くなった場合、制御装置３１によりインバータで周波数を緩やかに上昇させ、蛍光灯２３Ｂ、２３Ｄの照度を徐々に上げるものとしても構わない。同様に、照度センサ３７が検知する陳列室６外の照度が高くなった場合には、制御装置３１によりインバータで周波数を緩やかに低下させ、蛍光灯２３Ｂ、２３Ｄの照度を徐々に下げて、最終的に消灯するものとしても構わない。
【００８４】
以上詳述する如く、特に、外光が入る店舗の窓際にショーケース１００を設置する場合、昼間ショーケース１００の周囲が明るいとき、即ち、照度センサ３７が検知する照度が高い場合、陳列室６内の照度を下げておき、夜ショーケース１００の周囲が暗くなったら（照度センサ３７が検知する照度が低い場合にのみ）、陳列室６内の照度を上げることにより、蛍光灯２３Ａ、２３Ｂ、２３Ｃ、２３Ｄ、２３Ｅの消費電力の削減と陳列室６内負荷の軽減による省エネ化を実現しながら、陳列室６内の商品のアピール効果の向上を図ることができるようになる。
【００８５】
尚、照度センサ３７が検知する照度が低い場合にも、所定周期で蛍光灯の点灯形態を変更するものとすれば、消費電力を削減し、陳列室６内の商品のアピール効果をより一層向上させることができるようになる。
【００８６】
例えば、制御装置３１は、蛍光灯２３Ｂの照度を５０％に下げて、他の蛍光灯２３Ａ、２３Ｃ、２３Ｄ、２３Ｅの照度を１００％に制御する。そして、１０分経過すると、制御装置３１は蛍光灯２３Ｂの照度を１００％にすると共に、今まで１００％の照度で点灯していた蛍光灯２３Ｃの照度を５０％に制御する。更に、１０分経過すると、制御装置３１は、蛍光灯２３Ｃの照度を１００％にすると共に、今まで１００％の照度で点灯していた蛍光灯２３Ｄの照度を５０％に制御する。尚、制御装置３１は、陳列室６内の蛍光灯を上側、或いは、下側から順次、照度を５０％に制御するものとしても良いし、ランダムに制御するものとしても構わない。また、この場合の蛍光灯２３Ｂ、２３Ｃ、２３Ｄ、２３Ｅの照度制御も、インバータにより周波数制御して、徐々に周波数を上昇させたり、徐々に周波数を低下させるものとしても構わない。
【００８７】
このように、照度センサ３７が検知する照度が低い場合においても、所定の周期で蛍光灯の点灯状態を変更することで、消費電力を削減し、且つ、陳列室６内の商品のアピール効果も一層向上させることができるようになる。
【図面の簡単な説明】
【００８８】
【図１】本発明の一実施例のショーケースの概略縦断側面図である。（実施例１）
【図２】図１のショーケースの一実施例の電気回路のブロック図である。
【図３】図１のショーケースの他の実施例の電気回路のブロック図である。
【図４】本発明の他の実施例のショーケースの電気回路のブロック図である。（実施例２）
【図５】本発明のもう一つの他の実施例のショーケースの概略縦断側面図である。（実施例３）
【図６】図５のショーケースの電気回路のブロック図である。
【符号の説明】
【００８９】
１    ショーケース
２    仕切板
３    断熱壁
６    陳列室
７    ダクト
１１  冷却器
１２  送風機
１３  区画板
１６、１７  吐出口
１８  吸込口
２１  棚
２２  キャノピー
２３Ａ、２３Ｂ、２３Ｃ、２３Ｄ、２３Ｅ  蛍光灯
３２  人感センサ
３３  温度センサ
３５  タイマ機能
３７  照度センサ
【図１】
2006266645.tif 000003
【図２】
2006266645.tif 000004
【図３】
2006266645.tif 000005
【図４】
2006266645.tif 000006
【図５】
2006266645.tif 000007
【図６】
2006266645.tif 000008